(57)【特許請求の範囲】
【請求項１】
ケーブルを導入する筒状のスリーブ１内にケーブル把持金具４と、該ケーブル把持金具４に固定したケーブルから導出されるケーブル心線の心線接続部及び該心線接続部に連なる心線余長収納部を備えた心線ケース７とを連結金具６に固着し、該心線ケース７が複数のケーブル心線接続用のコネクタ保持部と、該コネクタ保持部に収納されたコネクタから導出されるケーブル心線余長を引き回し保持する心線余長収納部とを備えた心線ケース７と、該心線ケース７にヒンジ部で回動自在に備えられた蓋体７１とからなり、心線ケース７をケース固定部５０１に回動自在で着脱自在に連結して多数重積配備すると共に、前記スリーブ１が軸方向に二分割する片側を固定ヒンジまたは脱着ヒンジのヒンジ部１１で連結され、かつ他側を突き合せ係合縁１２に形成されていて、該係合縁１２を固定手段で着脱自在に構成したクロージャにおいて、前記係合縁１２に対向して備えられる締付片１０と、該締付片１０をロックする係止凹凸１３，１４をスリーブ１に対設したものであって前記締付片１０が、前記スリーブ１の係合縁１２から延設される一体成形のレバーであり、かつ、スリーブ外周面に突設された係止凸部１１に嵌挿される係止凹部或いは係止孔１２を備えると共に、スリーブ外周面に突設された係止突部１３に嵌装する嵌合部１４のあるベロー１０１を屈曲自在に延設したことを特徴とするケーブル接続用クロージャ。
【請求項２】
ケーブルを導入する筒状のスリーブ１内にケーブル把持金具４と、該ケーブル把持金具４に固定したケーブルから導出されるケーブル心線の心線接続部及び該心線接続部に連なる心線余長収納部を備えた心線ケース７とを連結金具６に固着し、該心線ケース７が複数のケーブル心線接続用のコネクタ保持部と、該コネクタ保持部に収納されたコネクタから導出されるケーブル心線余長を引き回し保持する心線余長収納部とを備えた心線ケース７と、該心線ケース７にヒンジ部で回動自在に備えられた蓋体７１とからなり、心線ケース７をケース固定部５０１に回動自在で着脱自在に連結して多数重積配備すると共に、前記スリーブ１が軸方向に二分割する片側を固定ヒンジまたは脱着ヒンジのヒンジ部１１で連結され、かつ他側を突き合せ係合縁１２に形成されていて、該係合縁１２を固定手段で着脱自在に構成したクロージャにおいて、前記係合縁１２に対向して備えられる締付片１０と、該締付片１０をロックする係止凹凸２１，２２をスリーブ１に対設したものであって前記締付片１０が、前記スリーブ係合縁１２にヒンジ部２０で連設された一体成形のレバーであって、スリーブ外周面に突設された係止凸部２１に嵌挿される係止凹部２２を備えると共に、ヒンジ部２３で屈折自在に連続した連結片２４を介在配備したことを特徴とするケーブル接続用クロージャ。
【請求項３】
前記締付片１０が、前記スリーブ外周に間隔をあけて突設された複数の係止凸部２１をそれぞれ係合被覆するトップレバー１０２であって、互いに対向する係止凸部２１に一端を係脱自在に嵌装する請求項２記載のケーブル接続用クロージャ。
【請求項４】
前記係合縁１２が、スリーブ外周に間隔をあけて突設された複数の止凸部２１の間にスリーブ内部に間隔をあけて突設された複数の係合部２５を備えている請求項２または３記載のケーブル接続用クロージャ。
【発明の詳細な説明】
【０００１】
【発明の属する技術分野】
本発明は、光ケーブルなどの通信ケーブルの接続部を保護するためのクロージャ、特にケーブル接続用クロージャの改良に関するものである。
【０００２】
【従来の技術】
一般に、ケーブル接続用クロージャは、ケーブル接続部の両側のケーブルを貫通して取付けられた端面板と、前記接続部をかぶせて収容する縦割りの円筒状のスリーブとからなり、両端面板間にスリーブを装架して、該スリーブの互いに対向した分割突き合わせ部分を取付けネジなどの固定手段で連結して一体化し、ケーブル接続部を気密または水密に保護する構造のものが多用されている。
【０００３】
【発明が解決しようとする課題】
従来のケーブルの接続部を保護する収容体のクロージャでは、スリーブの変形防止のための剛性を保ち、湿気の浸入を阻止しなければならないために、スリーブの各構成部分は互いに密に結合され、かつケーブル端との間の結合も水密でなければならず、気密材を設けたケーブル接続部収容体は、製作煩雑で高価となり経費を要するし、耐久性の面でも問題があり、スリーブの気密確保のために締め付け力の管理や、組立解体などの作業性が煩雑となって問題があった。
本発明は、これら従来の欠点を排除しようとするもので、ケーブル接続部の収容体の変形防止を図り、安全性と気密性をも高めると共に、スリーブの組立作業性を大幅に向上できるケーブル接続用クロージャを構成簡単で安価な形態で提供することを目的とするものである。
【０００４】
【課題を解決するための手段】
本発明は、ケーブルを導入する筒状のスリーブ内にケーブル把持金具と、該ケーブル把持金具に固定したケーブルから導出されるケーブル心線の心線接続部及び該心線接続部に連なる心線余長収納部を備えた心線ケースとを連結金具に固着し、該心線ケースが複数のケーブル心線接続用のコネクタ保持部と、該コネクタ保持部に収納されたコネクタから導出されるケーブル心線余長を引き回し保持する心線余長収納部とを備えた心線ケースと、該心線ケースにヒンジ部で回動自在に備えられた蓋体とからなり、心線ケースをケース固定部に回動自在で着脱自在に連結して多数重積配備すると共に、前記スリーブが軸方向に二分割する片側を固定ヒンジまたは脱着ヒンジのヒンジ部で連結され、かつ他側を突き合せ係合縁に形成されていて、該係合縁を固定手段で着脱自在に構成したクロージャにおいて、前記係合縁に対向して備えられる締付片と、該締付片をロックする係止凹凸をスリーブとに対設したものであって、前記締付片が、前記スリーブ係合縁から延設される一体成形のレバーであり、かつ、スリーブ外周面に突設された係止凸部に嵌挿される係止凹部或いは係止孔を備えると共に、スリーブ外周面に突設された係止突部に嵌装する嵌合部のあるベローを屈曲自在に延設した。
【０００５】
【発明の実施の形態】
この実施の形態では二分割スリーブをヒンジ機構で連結しておき、ケーブル及び支持線を端面板から挿通してスリーブ内の接続機構に接続して、余長処理をしたのちスリーブをかぶせ、両スリーブ相互を押さえつけてスリーブ片側にある締結片で突き合わせたスリーブ接合面を順次締め付け取り付けて組立てられ、ケーブルシール材や端面板の取付け姿勢を安定強固にすると共に、密封性も大幅に高められ、バルブより注入されたガスによってクロージャとして安全に用いられ、また締結片での連結を解くとヒンジ中心に容易にスリーブが開かれ内部の分岐、引込、接続などの作業並びに接続状況の確認作業を簡便にできるものである。
そして、作業終了後は二分割スリーブをかぶせて組立し、係合縁を合わせてから締付片の係合凹凸を掛止めたのち、さらにロック用係止凹凸を嵌着して二重ロックすることができ取扱容易でスリーブ係合縁の連結状態を確実安全に保持でき信頼性を大巾に向上できる。
【０００６】
【実施例】
本発明を図１乃至図５の二分割円筒状のスリーブ１と、スリーブの側面嵌合部２に嵌装された端面板３とを備えたクロージャの例で説明すると、端面板３，３に、幹線光ケーブルが貫通されてケーブル把持金具４で固定され、かつ、該ケーブルのテンションメンバが、テンションメンバ把持金具５に接続連結されている。前記スリーブ１は、ヒンジ部１１ で連らなった円筒状のハウジングで、軸方向に沿って底部が分離接合面で分離できるようにしたもので、合成樹脂、例えばＰＰ樹脂或いはガラス繊維を充填した難燃性のＦＲＰＰ或いは熱可塑性エラストマーなどから構成され、軸方向に縦割りにする突き合わせ係合縁１２  と、該スリーブ１の両端に、嵌装される端面板３、例えば耐候性、耐オゾン性等の諸特性に優れたＥＰＤＭなどのゴム板材とを備えてあり、さらにスリーブ１は対向する係合縁１２  を一体化して押し込み或いは差し込みだけの容易な作業で組立作業の簡便化をはかり、係合縁１２  にはスリーブ同士のワンタッチロックができる係止凹凸１１，１２，１３，１４のある締付片１０で接続できるようにし、底板をも省略した簡素なデザイン形態としてある。
そして、前記スリーブ１は軸方向に二分割する片側を固定ヒンジまたは脱着ヒンジのヒンジ部１１  で連結され、かつ他側を突き合せ係合縁１２  に形成されていて、該係合縁１２  を固定手段で着脱自在に構成するのに前記係合縁１２  に対向して備えられる係止凹凸１１，１２を有する締付片１０と、該締付片１０をロックする係止凹凸１３，１４を締付片１０とスリーブ１とに対設してある。
【０００７】
前記締付片１０としては、前記スリーブ係合縁１２  から延設される一体成形のレバーであって、スリーブ外周面に突設された係止凸部１１に嵌挿される係止凹部或いは係止孔１２を備えると共に、スリーブ外周面に突設された係止突部１３に嵌装する嵌合部１４のあるベロー１０１  を屈曲自在に延設したもの（図５）を用いるか、或いは前記締付片１０が、前記スリーブ係合縁１２  にヒンジ部２０で連設された一体成形のレバーであって、スリーブ外周面に突設された係止凸部２１に嵌挿される係止凹部２２を備えると共に、ヒンジ部２３で屈折自在に連続した連結片２４を介在配備したトップレバー１０２  としたもの（図６乃至図８）を用いるのもよい。
【０００８】
この場合、前記締付片１０は、図５或いは図６の如くベロー１０１  或いはトップレバー１０２  の二重ロック方式を採用してあるが、トップレバー１０２  の場合、図７に示すようにロック状態（図７ａ）の締付片１０はヒンジ部２０，２３のある連結片２４側を起し上げて（図７ｂ）から押し延ばして係合縁を離し（図７ｃ）さらに係合端を持ち上げ外せば（図７ｄ）係合縁１２  を分離でき締付セット時には反対に操作し引掛けて押し込めば２重ロック締結できセット時の負荷はトップレバーが受け負荷を受ける面積も大きくとれて長期にわたり信頼性が高い。図８の具体例では、トップレバー１０２  をヒンジ部２０，２３で接続する連結片２４のスパンを若干長くとって成形性に余裕を持たせたもので、係止凸部２１の斜面に沿わせて抱き込んだ際の操作力をも軽くすることができる。
【０００９】
なお、前記締付片１０は、前記スリーブ外周に間隔をあけて突設された複数の係合突部をそれぞれ係合被覆するように配備し、互いに対向する係合突部に一端を係脱自在に嵌装する構成とするのがよく、さらに前記係合縁１２  にはスリーブ外周に間隔をあけて突設された係止凸部２１，２１の間にスリーブ内部に間隔をあけて突設された複数の係合部２５を備えて係合縁１２  の接合状態を安定化させるようにしてある。
【００１０】
前記端面板３は、ＥＰＤＭで構成されスリットつきの支持線挿通孔３０とケーブル挿通孔３１のほかにドロップケーブルの挿通孔３２を設けて、必要に応じアダプタを嵌入してスリーブ１に対するケーブル等の導出入がシール状態を適確に行えるようになっている。
【００１１】
そして前記スリーブ１の中に多数重積配備される心線ケース７内には、接続用のコネクタ、或いは複数のコネクタを入れたサブユニット或いはカセット、例えばメカニカルスプライスのコネクタ保持部と、該コネクタ保持部に収納されたコネクタから導出されるケーブル心線余長をループ状に引き回す収納部とを備えて心線接続部ならびに心線余長を収納するようにしたものである。
【００１２】
この心線ケース７としては、図９に示すように心線ケース７のヒンジ部（図示せず）を挿入できる切欠溝のあるヒンジ孔５０を介してケース取付スタンドベース板７６にあるケース固定部５０１にワンタッチで着脱自在に係止されるように構成してあり、該スタンドベース板７６はスライドステー７７で案内されて心線ケース７をスリーブ１外に移動して作業しやすい位置に変位できるように設けられていて、固定ブラケット７８で収納時に保持される。
なお、前記ベース板７６にはテンションメンバ固定部５１及び心線ケース７のケース固定部５０１が取付けられ、該ベース板７６をスライドブロック５２を介してスライドベース５３に摺動自在に装着すると共に、スライドステイ７７でスライドステイ受７９に移動可能に連結しネジ８０をもって固着でき固定ブラケット７８に配備されスリーブ１内での各部の点検や各種作業をしやすい形態としてある。
【００１３】
前記固定ブラケット７８は、前記スリーブ１内に固着される連結金具６に定着立設されるが、この連結金具６はスリーブ両端にある端面板３，３に延設されるケーブル把持金具４と、テンションメンバ把持金具５とを上連結部６１と下連結部６２とで一体成形されたものであって、該上連結部６１に把持アーム６４の取付部及び支持線把持部６５とを備え、かつ下連結６２に前記トレイ固定部７８の取付部を備えてあって、この上下連結部６１，６２が、前記スリーブ１の内壁上下に突設されたフレーム取付部に着脱自在にワンタッチで嵌着固定されるようになっている。
【００１４】
なお、前記支持線挿通孔３０、ケーブル挿通孔３１で形成される貫通孔またはケーブル導出孔には、ゴム製などでのスペーサ、或いは硬度０のシールテープ若しくは、エアタイトテープを巻き付けてケーブルの外周面を密着できるようにすることが配慮されている。
【００１５】
なお、前記心線ケース７は、合成樹脂の射出成形により略正方形、長方形の四角形または楕円形に形成され心線余長収納部には所定間隔に配列されるケーブル押え片で伝送特性に悪影響が及ばないように心線がなめらかに弯曲したループ状に巻回保持できるように配慮してある。
【００１６】
また、前記端面板３に対向するスリーブ内面側に、ケーブル外周に沿う押え挾持片からなるケーブル把持金具４と、テンションメンバ把持金具５および支持線把持金具６５とを設けた連結金具６を固定配備するのがよく、さらに分割スリーブの対向接合面を締結するバックルを備えたり、必要に応じ前記スリーブ１の外周にバンドを着脱自在に巻回配備し、分離面での密封性から高められて連結できるようにしてもよい。
【００１７】
前記スリーブ１は、展開可能の形態として、端面板３間のクロージャ内の気密性を維持できるようにしてあり、互いに対向した接合面を固定手段で連結一体化できるようにすることもできる。例えば、スリーブの長手方向の片側を固定ヒンジまたは脱着ヒンジのヒンジ部１１  で連結し、他側に締め付けと、増し締めできるバックルとを備えることもできる。
さらに、前記端面板３としては、小判形或いは楕円形、円形などのゴム弾性体からなり、複数のケーブル挿通孔３１にそれぞれ薄肉キャップ部またはスリット３４を有し、該薄肉キャップ部またはスリット３４を選択的に切除開口して貫通孔として用いクロージャの内外に貫通するようにするのがよい。
なお、前記ケーブル挿通孔３１で形成される貫通孔またはケーブル導出孔には、ゴム製などでのアダプタ３３、スペーサ、或いはエアタイトテープを巻き付けて、ケーブルの外周面を密着できるようにすることが配慮されている。
【００１８】
前記ケーブル把持金具４としては、ケーブル挿通凹部のある受具にケーブル外周に沿う弯曲保持片をピンで回動自在に設けて開閉させ、ネジでケーブルを挾持固定化するようにしてケーブル把持が簡便にできるようにしてあり、前記弯曲保持片は、受具に着脱自在に設けた脱着構造とすることもできる。
【００１９】
このような構造の接続部を組み立てる場合、各ケーブルにアダプタ３３を挿入し、或いはケーブルシール材を巻き付け、ケーブルの端部の外被をケーブル把持金具４により固定したのち、端面板３の接合面にシール材及びスリーブ１の接合面にガスケットを介して分割スリーブ１，１の係合縁１２  を突き合わせて、該スリーブの外周にある締付片１０を締め付けて固定してスリーブ１の全長にわたって気密維持を強固に信頼性の高い密封構造にすることができる。
なお、この組立状態において、係合縁１２  間には必要に応じスリーブガスケットを備えることで、比較的小さい挾持力で高い気密性を保持することができ、また端面板３とケーブルとの間にはスペーサなどのシール材を介在させて気密性を著しく向上できることが考慮されている。
【００２０】
一方、前記スリーブ１，１の締結状態を解除するときには、締付片１０のワンタッチロックを外すか或いは締結具のバックルの締結を解除してスリーブ１の係合縁を離間して心線ケース７を露出させケーブルの交換も容易にすることができる。
【００２１】
【発明の効果】
本発明は、スリーブが軸方向に二分割する片側を固定ヒンジまたは脱着ヒンジのヒンジ部で連結され、かつ他側を突き合せ係合縁に形成されていて、該係合縁を固定手段で着脱自在に構成したクロージャにおいて、前記係合縁に対向して備えられる締付片と、該締付片をロックする係止凹凸をスリーブに対設したものであって前記締付片が、前記スリーブ係合縁から延設される一体成形のレバーであり、かつ、スリーブ外周面に突設された係止凸部に嵌挿される係止凹部或いは係止孔を備えると共に、スリーブ外周面に突設された係止突部に嵌装する嵌合部のあるベローを屈曲自在に延設したことにより、スリーブの接合面を突き合わせて締付片でスリーブ係合縁両側において締め付けることが確実簡便にでき、スリーブ同士のワンタッチロックができてケーブル接続部のスリーブによる被覆収容作業を著しく迅速に行うことができ、しかも少ない締め付け個所でスリーブ全周にわたって均一に圧迫して信頼性の高い密封を確保できると共に、二重ロック作用で長期にわたり締結状態の維持確保ができ信頼性を高めるほかスリーブの姿勢も安定して取扱い良好で、組立作業の容易化に役立ち、接続固定も楽に安全に行え、コストの点でも優れ、ケーブル接続用クロージャの構成も簡単で安価な形態にすることができる。
【図面の簡単な説明】
【図１】  本発明の実施例を示し、組立状態の一部の拡大縦断面図である。
【図２】  図１の例の切断平面図である。
【図３】  図１の例の組立状態を示し、（ａ）は正面図、（ｂ）はＡ−Ａ線における切断正面図である。
【図４】  スリーブの展開状態を示し、（ａ）は切断正面図、（ｂ）はその一部の側面図である。
【図５】  本発明で用いられる締付片を示し、（ａ）は一部の斜視図、（ｂ）はその拡大縦断面図である。
【図６】  本発明で用いられる他の締付片を示し、（ａ）は一部の斜視図、（ｂ）はその拡大縦断面図である。
【図７】  図６の例の作動状態を示し、（ａ）は締付状態、（ｂ）は連結片側を解放、（ｃ）は締付片を係止凹部から解放、（ｄ）は締付片の解放状態を示す説明縦断面図である。
【図８】  本発明の他の実施例の締付片の（ａ）は締付状態、（ｂ）は一方解放、（ｃ）は他方側解放の作動状態を示す説明縦断面図である。
【図９】  本発明で用いられる心線ケースの取付部を示す一部の斜視図である。
【符号の説明】
１  スリーブ
１１    ヒンジ部
１２    係合縁
２  嵌合部
３  端面板
４  ケーブル把持金具
５  テンションメンバ把持金具
６  連結金具
７  心線ケース
１０  締付片
１０１    ベロー
１０２    トップレバー
１１，１２  係止凹凸
１３，１４  係止凹凸
２０  ヒンジ部
２１  係止凸部
２２  係止凹部
２３  ヒンジ
２４  連結片
２５  係合部
５０  ヒンジ孔
５０１  ケース固定部
５１  テンションメンバ固定部
５２  スライドブロック
５３  スライドベース
【図１】
0003730337.tif 000002
【図２】
0003730337.tif 000003
【図３】
0003730337.tif 000004
【図４】
0003730337.tif 000005
【図５】
0003730337.tif 000006
【図６】
0003730337.tif 000007
【図７】
0003730337.tif 000008
【図８】
0003730337.tif 000009
【図９】
0003730337.tif 000010